(57)【要約】【課題】  作業中に延長用コードが延長用コード保持部から外れることを防止して、電源コードと延長用コードとの接続が解除されることを防止し、且つ、ハンドル部を作業者が握りやすい形状とすることができる電動工具の提供。【解決手段】  電動工具１の本体には電源コード１６が設けられ、電源コード１６は、電源に接続された延長用コード２に接続される。電動工具１のハンドル部１１の下部には、前後方向延出溝部１１ｂと左右方向延出溝部１１ｃとからなる溝１１ａが形成されてなる延長用コード保持部１１Ａが設けられている。延長用コード２の一部は、一方の前後方向延出溝部１１ｂから左右方向延出溝部１１ｃを介して他方の前後方向延出溝部１１ｂに、ハンドル部１１の下部の外周面位置から突出することなく溝１１ａ内に収納されて装着されて、延長用コード保持部１１Ａに延長用コード２が保持される。【選択図】図８
2005169525.tif 000002
【特許請求の範囲】
【請求項１】
略Ｄ字状のハンドル部を有する本体と、
該本体から延出した電源コードとを備え、
該ハンドル部には、該電源コードと着脱可能に接続される延長用コードの一部を保持することにより該電源コードと該延長用コードとの接続が解除されることを防止する延長用コード保持部を有する電動工具において、
該延長用コード保持部は該ハンドル部の下部に溝が形成されてなり、
該溝は、該ハンドル部の下部の両側面に該本体の略前後方向に延びてそれぞれ形成される一対の前後方向延出溝部と、該前後方向延出溝部の前端の位置において該下部の底面に略左右方向に延びて形成され、該一対の前後方向延出溝部の前端にそれぞれ接続された左右方向延出溝部とを有することを特徴とする電動工具。
【請求項２】
該前後方向延出溝部、該左右方向延出溝部は、それぞれ該延長用コードの直径よりも深く形成され、
該延長用コードの一部が、一方の該前後方向延出溝部から該左右方向延出溝部を介して他方の該前後方向延出溝部に、該ハンドル部の下部の外周面位置から突出することなく装着されることを特徴とする請求項１記載の電動工具。
【請求項３】
該左右方向延出溝部の最深位置には、該左右方向延出溝部の後方壁面よりも該本体の後方へ向けて窪んだコード係止凹部が形成されていることを特徴とする請求項１記載の電動工具。
【請求項４】
該前後方向延出溝部の該側面における開口幅は該延長用コードの直径よりも小さく、該前後方向延出溝部の最大幅は該延長用コードの直径よりも大きいことを特徴とする請求項１記載の電動工具。
【発明の詳細な説明】
【技術分野】
【０００１】
本発明は電動工具に関し、特に、電動工具の本体に設けられた電源コードに延長用コードを接続し、延長用コードを電源に接続して使用する刈込機等の電動工具に関する。
【背景技術】
【０００２】
電動工具としては、比較的短い電源コードを本体に備え、電源コードに延長用コードを接続し、延長用コードを電源に接続して使用する構成のものが知られている。
【０００３】
「日立工機電動工具２００３−８（カタログ）」，日立工機株式会社，２００３年８月，p.１３０には、この構成の電動工具が記載されている。電動工具は、より具体的には日立工機株式会社製の植木バリカンＦＣＨ３５ＳＣであり、図９に示されるように、電動工具１０１は本体１１０を備え、本体１１０には、図９、図１１〜図１３に示されるように、略Ｄ字状のハンドル部１１１が設けられている。作業者は屋外において、図９に示されるようにハンドル部１１１を握って、電動工具１０１を左右、上下色々な刈込み方向に移動させて植木の刈込み等を行う。
【０００４】
電動工具１０１は野外で広範囲にわたって使用されるため、電動工具１０１のハンドル部１１１から延出する比較的短い電源コード１１６のプラグ１１６Ａは、図１０に示されるように、比較的長い延長用コード１０２のコンセント１０２Ａに着脱可能に接続され、延長用コード１０２は図示せぬ電源に接続される。延長用コード１０２の長さは一般に１ｍ〜１０ｍ程度である。
【０００５】
しかし、植木の刈込み等の作業中に、作業者が延長用コード１０２を自分の足に引っ掛けたり、生垣の枝や葉に引っ掛けたりすると、延長用コード１０２のコンセント１０２Ａから電源コード１１６のプラグ１１６Ａを離脱させるような力が作用し、延長コードのコンセント１０２Ａから電源コード１１６のプラグ１１６Ａが離脱し、作業が中断されてしまうことがある。このため、ハンドル部１１１の下部には、延長用コード１０２の一部を保持することにより電源コード１１６と延長用コード１０２との接続が解除されることを防止するための延長用コード保持部１１１Ａが設けられている。
【０００６】
延長用コード保持部１１１Ａは、図１２、１３に示されるように、略Ｕ字形状をなしＤ字状をなすハンドル部１１１の当該Ｄの字の内側方向へハンドル部１１１の下部から突出するＵ字状突出部１１１Ｂを有している。ハンドル部１１１の後方には、図１１〜図１３に示されるように、ハンドル部１１１を本体１１０の前後方向へ貫通する貫通孔１１１ａが形成されている。延長用コード１０２は、図１２、図１３に示されるように、Ｕ字状に曲折されて貫通孔１１１ａから図１２の矢印Ａで示される方向に向けて挿入され、延長用コード１０２のＵ字状に曲折された部分が、矢印Ｂで示される方向に押込まれながら、図１３に示される矢印Ｃで示される方向に引かれて、Ｕ字状突出部１１１Ｂに係止される。このことによって、延長用コード１０２が延長用コード保持部１１１Ａに保持される。
【０００７】
このように、植木の刈込み作業中に、延長用コード１０２が延長用コード保持部１１１Ａに保持されているため、延長用コード１０２のコンセント１０２Ａから電源コード１１６のプラグ１１６Ａを離脱させるようにする力が作用することを防止し、延長用コード１０２のコンセント１０２Ａから電源コード１１６のプラグ１１６Ａが離脱することを防止することが可能である。
【非特許文献１】「日立工機電動工具２００３−８（カタログ）」，日立工機株式会社，２００３年８月，p.１３０
【発明の開示】
【発明が解決しようとする課題】
【０００８】
しかし、上述の従来の電動工具１０１では、Ｕ字状に曲折されＵ字状突出部１１１Ｂに係止された延長用コード１０２に、電動工具１０１の本体１１０の前方向へ向かう力が加わると、延長用コード１０２がＵ字状突出部１１１Ｂから外れてしてしまうことがあった。そして、外れた状態に気がつかずに作業を続け、作業者が延長用コード１０２を自分の足に引っ掛けたりすると、延長コードのコンセント１０２Ａから電源コード１１６のプラグ１１６Ａが離脱し、作業が中断されてしまうという問題が生じていた。
【０００９】
また、延長用コード保持部１１１ＡのＵ字状突出部１１１Ｂは、Ｄ字状をなすハンドル部１１１の当該Ｄの字の内側方向へ突出していたため、作業者にとって当該部分を握りにくいという問題が生じていた。
【００１０】
そこで、本発明は、作業中に延長用コードが延長用コード保持部から外れることを防止することにより、電源コードと延長用コードとの接続が解除されることを防止し、且つ、ハンドル部を作業者が握りやすい形状とすることができる電動工具を提供することを目的とする。
【課題を解決するための手段】
【００１１】
上記目的を達成するために、本発明は、略Ｄ字状のハンドル部を有する本体と、該本体から延出した電源コードとを備え、該ハンドル部には、該電源コードと着脱可能に接続される延長用コードの一部を保持することにより該電源コードと該延長用コードとの接続が解除されることを防止する延長用コード保持部を有する電動工具において、該延長用コード保持部は該ハンドル部の下部に溝が形成されてなり、該溝は、該ハンドル部の下部の両側面に該本体の略前後方向に延びてそれぞれ形成される一対の前後方向延出溝部と、該前後方向延出溝部の前端の位置において該下部の底面に略左右方向に延びて形成され、該一対の前後方向延出溝部の前端にそれぞれ接続された左右方向延出溝部とを有する電動工具を提供している。
【００１２】
ここで、該前後方向延出溝部、該左右方向延出溝部は、それぞれ該延長用コードの直径よりも深く形成され、該延長用コードの一部が、一方の該前後方向延出溝部から該左右方向延出溝部を介して他方の該前後方向延出溝部に、該ハンドル部の下部の外周面位置から突出することなく装着されることが好ましい。
【００１３】
また、該左右方向延出溝部の最深位置には、該左右方向延出溝部の後方壁面よりも該本体の後方へ向けて窪んだコード係止凹部が形成されていることが好ましい。
【００１４】
また、該前後方向延出溝部の該側面における開口幅は該延長用コードの直径よりも小さく、該前後方向延出溝部の最大幅は該延長用コードの直径よりも大きいことが好ましい。
【発明の効果】
【００１５】
本発明の請求項１記載の電動工具によれば、延長用コード保持部はハンドル部の下部に溝が形成されてなり、溝は、ハンドル部の下部の両側面に本体の略前後方向に延びてそれぞれ形成される一対の前後方向延出溝部と、前後方向延出溝部の前端の位置において下部の底面に略左右方向に延びて形成され、一対の前後方向延出溝部の前端にそれぞれ接続された左右方向延出溝部とを有しているため、延長用コードに、電動工具の本体の前方向へ向かう力が加わっても、延長用コードは溝にはめ込まれた状態となって装着されているため溝から外れにくく、作業中に延長用コードが延長用コード保持部から容易に外れてしまうことを防止でき、電源コードが延長用コードから外れてしまうことを防止でき、作業が中断されてしまうことを防止することができる。
【００１６】
また、ハンドル部の外周面位置から突出する部分を設けずに延長用コード保持部を構成できるため、握り易いハンドル部の形状とすることができ、どのような姿勢でも刈込み作業を容易に行うことができる。
【００１７】
本発明の請求項２記載の電動工具によれば、前後方向延出溝部、左右方向延出溝部は、それぞれ延長用コードの直径よりも深く形成されているため、延長用コードの一部を、一方の前後方向延出溝部から左右方向延出溝部を介して他方の前後方向延出溝部に、ハンドル部の下部の外周面位置から突出することなく装着することができる。
【００１８】
また、保持されたコードはハンドル部の外周面位置から突出しないため、より握り易いハンドル部の形状とすることができる。
【００１９】
本発明の請求項３記載の電動工具によれば、左右方向延出溝部の最深位置には、左右方向延出溝部の後方壁面よりも本体の後方へ向けて窪んだコード係止凹部が形成されているため、左右方向延出溝部にはめ込まれた延長用コードをコード係止凹部に嵌合させることができ、溝に装着された延長用コードを、溝からより一層外れにくくすることができる。
【００２０】
本発明の請求項４記載の電動工具によれば、前後方向延出溝部の側面における開口幅は延長用コードの直径よりも小さく、前後方向延出溝部の最大幅は延長用コードの直径よりも大きいため、前後方向延出溝部にはめ込まれた延長用コードを、最大幅を有する前後方向延出溝部の部分に収納することができる。このため、延長用コードが前後方向延出溝部から外れようとする力が延長用コードに加わっても、延長用コードの直径よりも小さい前後方向延出溝部の側面における開口の位置において、延長用コードが前後方向延出溝部から外れることを防止することができ、溝に装着された延長用コードを、溝からより一層外れにくくすることができる。
【発明を実施するための最良の形態】
【００２１】
本発明の実施の形態による電動工具について図１乃至図８を参照しながら説明する。図１に示されるように電動工具１は、より具体的にはいわゆる刈込機として知られる植木バリカンであり、本体１０を有し、本体１０の後方の位置には略Ｄ字状をしたハンドル部１１を備える。本体１０の前方には、当該前方へ略一直線状に延出し植木等を刈込むための刃１２が接続されており、本体１０と刃１２との接続位置には、刈込まれた植木等から作業者を保護するための略板状をしたガード１３が、刃１２の延出方向に対して所定の角度をなして設けられている。また、ハンドル部１１の上部前方の位置であって、略Ｄ字状をしたハンドル部１１の当該Ｄの字の内周には、刃１２を駆動するためのスイッチ１４が設けられている。
【００２２】
本体１０の前方の位置であってガード１３よりも後方の位置には、補助ハンドル１５が設けられている。補助ハンドル１５は、略環状をした部材の一部が切取られ、その切取られた位置に本体１０がはめ込まれたような形状をなしている。従って補助ハンドル１５は、本体１０から略所定の距離で離間して本体１０の前方の位置の部分を取り囲むように設けられ、補助ハンドル１５の一端及び他端が、ハンドル部１１が設けられている本体１０の部分に接続されている。
【００２３】
本体１０に設けられたハンドル部１１の後方端部には、本体１０から延出し延長用コード２（図５等）と着脱可能に接続される電源コード１６が設けられている。電源コード１６の一端はハンドル部１１に接続されており、他端はプラグ１６Ａを備える。延長用コード２（図５）の一端にはコンセント２Ａが設けられており、他端は図示せぬ電源に接続される。電源コード１６のプラグ１６Ａは、延長用コード２のコンセント２Ａに着脱可能に接続される。
【００２４】
電源コード１６は比較的短く、延長用コード２は一般には略１ｍ〜１０ｍ程度と比較的長い。また、延長用コード２は、その径が小さくなる方向に弾性変形可能であり、後述のように前後方向延出溝部１１ｂに延長用コード２を装着する際に、延長用コード２の径よりも小さい開口幅ａ（図４）を有する前後方向延出溝部１１ｂの開口端から延長用コード２を押込むことにより、延長用コード２を前後方向延出溝部１１ｂ内にはめ込むことができるように構成されている。
【００２５】
ハンドル部１１の下部には、延長用コード２の一部を保持することにより電源コード１６と延長用コード２との接続が解除されることを防止する延長用コード保持部１１Ａが設けられている。図２、図３に示されるように延長用コード保持部１１Ａは、溝１１ａがハンドル部１１の下部に形成されてなり、溝１１ａは、一対の前後方向延出溝部１１ｂと左右方向延出溝部１１ｃとを有している。
【００２６】
一対の前後方向延出溝部１１ｂは、ハンドル部１１の下部の両側面に本体１０の略前後方向に延びてそれぞれ形成されており、その後方端は、それぞれハンドル部１１の後端位置において後方へ向けて開口している。前方端はハンドル部１１の前後方向における略中央に位置する。一対の略前後方向延出溝部１１ｂは、ハンドル部１１の左右方向における中心位置に向けて、それぞれ延長用コード２の直径よりも深く形成されている。このため、後述のように前後方向延出溝部１１ｂに延長用コード２を装着したときに、延長用コード２を前後方向延出溝部１１ｂにハンドル部１１の下部の外周面位置から突出することなく装着することができる。
【００２７】
また、図４に示されるように、前後方向延出溝部１１ｂの本体１０側面における開口幅ａは延長用コード２の直径よりも小さく、前後方向延出溝部１１ｂの最大幅ｂは延長用コード２の直径よりも大きい。より具体的には、延長用コード２の直径は、一般的には６〜８ｍｍ程度であり、例えば、８ｍｍのものを想定した場合には、開口幅ａが７ｍｍ、最大幅ｂは１ｃｍ程度である。
【００２８】
このため、後述のように前後方向延出溝部１１ｂに延長用コード２を装着したときに、前後方向延出溝部１１ｂにはめ込まれた延長用コード２を、最大幅ｂを有する前後方向延出溝部１１ｂの部分に収納することができる。このため、延長用コード２を前後方向延出溝部１１ｂから外そうとする力が延長用コード２に加わっても、延長用コード２の直径よりも小さい前後方向延出溝部１１ｂの側面における開口の位置において、延長用コード２が前後方向延出溝部１１ｂから外れることを防止することができ、溝１１ａに装着された延長用コード２を、溝１１ａからより一層外れにくくすることができる。
【００２９】
左右方向延出溝部１１ｃは、図３に示されるように、前後方向延出溝部１１ｂの前端の位置において下部の底面に略左右方向に延びて、ハンドル部１１の底面を横切るように形成されており、一対の前後方向延出溝部１１ｂの前端にそれぞれ接続されている。一対の前後方向延出溝部１１ｂの前方端に接続されている左右方向延出溝部１１ｃの両端は、ハンドル部１１の側面に開口する。略左右方向延出溝部１１ｃは、図２に示されるように、ハンドル部１１の上方向に向けてそれぞれ延長用コード２の直径よりも深く形成されている。このため、後述のように前後方向延出溝部１１ｂに延長用コード２を装着したときに、前後方向延出溝部１１ｂと同様に、延長用コード２を左右方向延出溝部１１ｃにハンドル部１１の下部の外周面位置から突出することなく装着することができる。
【００３０】
図２に示されるように、左右方向延出溝部１１ｃの最深位置、即ち、図２における左右方向延出溝部１１ｃの最も上方の位置には、左右方向延出溝部１１ｃを画成する後方壁面１１Ｂよりも本体１０の後方へ向けて窪んだコード係止凹部１１ｄが形成されている。コード係止凹部１１ｄは、左右方向延出溝部１１ｃに沿って左右方向延出溝部１１ｃの一端から他端に渡り形成されており、後述のように左右方向延出溝部１１ｃに延長用コード２を装着したときに、延長用コード２をコード係止凹部１１ｄに嵌合させることができる。このため、溝１１ａに装着された延長用コード２を、溝１１ａからより一層外れにくくすることができる。
【００３１】
また延長用コード２は、前後方向延出溝部１１ｂ、左右方向延出溝部１１ｃを有する溝１６ａにはめ込まれた状態で保持されているため、図５の矢印Ａで示される電動工具１の本体１０の前方向へ向けて、延長用コード２が左右方向延出溝部１１ｂから外れようとする力が延長用コード２に加わっても、容易に溝１６ａから外れず、延長用コード保持部１１Ａに延長用コード２を保持し続けることができる。
【００３２】
電動工具１を使用して植木の刈込み等の作業を行うときには、先ず、延長用コード２のコンセント２Ａと電源コード１６のプラグ１６Ａとを接続し、延長用コード２のコンセント２Ａが設けられている一端に対する他端を図示せぬ電源に接続する。次に、延長用コード２をＵ字状に曲折し、Ｕ字状に曲折されている延長用コード２の湾曲部分を左右方向延出溝部１１ｃにはめ込み、コード係止凹部１１ｄに嵌合させる。次に、Ｕ字状に曲折されている延長用コード２の左右方向延出溝部１１ｃにはめ込まれていない部分を、一対の前後方向延出溝部１１ｂにそれぞれ押込むことによってはめ込み、図５、図６に示されるように装着する。
【００３３】
このとき、前後方向延出溝部１１ｂにおいて延長用コード２は、図７に示されるように、最大幅ｂを有する前後方向延出溝部１１ｂの部分に収納されており、延長用コード２の直径よりも小さい前後方向延出溝部１１ｂの側面における開口の位置において、延長用コード２が前後方向延出溝部１１ｂから外れにくくなっている。
【００３４】
そして作業者は、図８に示されるようにしてハンドル部１１を両手で握り、植木の刈込み等の作業を行う。延長用コード保持部１１Ａは、前述のようにハンドル部１１に溝１１ａが形成されてなり、ハンドル部１１から突出しておらず、また、延長用コード２の一部が、一方の前後方向延出溝部１１ｂから左右方向延出溝部１１ｃを介して他方の前後方向延出溝部１１ｂに、ハンドル部１１の下部の外周面位置から突出することなく溝１１ａ内に収納されて装着されているため、電動工具１のハンドル部１１は作業者が握りやすくなっている。
【００３５】
本発明による電動工具は、上述した実施の形態に限定されず、特許請求の範囲に記載した範囲で種々の変形や改良が可能である。例えば、本実施の形態による電動工具１では、電源コード１６は、本体１０に設けられたハンドル部１１の後方端部から延出して設けられていたが、この位置に限定されず、本体のどこから延出して設けられていてもよい。
【産業上の利用可能性】
【００３６】
本発明の電動工具は、電源コードを単独で電源に接続するのではなく、電源コードに延長用コードを接続し、当該延長用コードを電源に接続して用いる電動工具の分野において極めて有用である。
【図面の簡単な説明】
【００３７】
【図１】本発明の実施の形態による電動工具を示す斜視図。
【図２】本発明の実施の形態による電動工具のハンドル部を示す要部側面図。
【図３】本発明の実施の形態による電動工具のハンドル部を示す要部底面斜視図。
【図４】図２のＩＶ−ＩＶに沿った断面図。
【図５】本発明の実施の形態による電動工具のハンドル部の延長用コード保持部に延長用コードが装着された様子を示す要部側面図。
【図６】本発明の実施の形態による電動工具のハンドル部の延長用コード保持部に延長用コードが装着された様子を示す要部底面斜視図。
【図７】図５のＶＩＩ−ＶＩＩに沿った断面図。
【図８】本発明の実施の形態による電動工具のハンドル部を作業者が握って作業を行っている状態を示す要部側面図。
【図９】従来の電動工具を用いて刈込み作業を行っている様子を示す概略図。
【図１０】従来の電動工具の電源コードと、当該電源コードに接続される延長用コードとを示す斜視図。
【図１１】従来の電動工具を示す背面図。
【図１２】従来の電動工具のハンドル部の延長用コード保持部に、延長用コードを装着しようとしている様子を示す要部斜視図。
【図１３】従来の電動工具のハンドル部の延長用コード保持部に延長用コードが装着された状態を示す要部斜視図。
【符号の説明】
【００３８】
１・・・電動工具  １０・・・本体  １１・・・ハンドル部  １１Ａ・・・延長コード保持部  １１Ｂ・・・後方壁面  １１ａ・・・溝  １１ｂ・・・前後方向延出溝部  １１ｃ・・・左右方向延出溝部  １１ｄ・・・コード係止凹部  １６・・・電源コード  ａ・・・開口幅  ｂ・・・最大幅  
【図１】
2005169525.tif 000003
【図２】
2005169525.tif 000004
【図３】
2005169525.tif 000005
【図４】
2005169525.tif 000006
【図５】
2005169525.tif 000007
【図６】
2005169525.tif 000008
【図７】
2005169525.tif 000009
【図８】
2005169525.tif 000010
【図９】
2005169525.tif 000011
【図１０】
2005169525.tif 000012
【図１１】
2005169525.tif 000013
【図１２】
2005169525.tif 000014
【図１３】
2005169525.tif 000015